(57)【要約】【課題】メール送信用端末より特殊メールヘッダー付のメールを送信し、紛失した状況に合わせて遠隔操作で鳴動方法及びアラームの設定変更を行うこと【解決手段】メール送信用端末１００又はメール送信用携帯端末１０１において、紛失携帯端末１０２との離間距離が設定値未満だった場合の設定と、紛失携帯端末１０２との離間距離が設定値以上だった場合の設定を行い、紛失携帯端末１０２に送信する。受信した設定から、紛失携帯端末１０２とメール送信用端末１００又はメール送信用携帯端末１０１との離間距離を算出し、算出された離間距離が、設定値以上か未満かを判定し、その判定に応じて設定を変更する。【選択図】図５
2012060553.tif 000002
【特許請求の範囲】
【請求項１】
情報処理装置と携帯端末が通信可能に接続された端末設定変更システムであって、
前記情報処理装置は、
前記情報処理装置の現在地を示す第１の位置情報を取得する第１の位置情報取得手段と、
ユーザからの操作によって、前記第１の位置情報取得手段によって取得した第１の位置情報との距離に応じて、前記携帯端末の設定変更を行う基準値を決定する基準値決定手段と、
前記基準値決定手段によって決定された基準値以内であった場合の設定と、前記基準値決定手段によって決定された基準値以上であった場合の設定を受け付ける設定変更受付手段と、
前記第１の位置情報取得手段によって取得された第１の位置情報と、前記基準値決定手段によって決定された基準値と、前記設定変更受付手段によって受け付けた設定とを含めた送信情報を、前記携帯端末に送信する送信手段とを備え、
前記携帯端末は、
前記送信手段によって送信された前記送信情報を受信する受信手段と、
前記携帯端末の現在地を示す第２の位置情報を取得する第２の位置情報取得手段と、
前記受信手段によって受信された前記送信情報に含まれる第１の位置情報と、前記第２の位置情報取得手段によって取得された第２の位置情報から、前記情報処理装置と前記携帯端末との離間距離を算出する離間距離算出手段と、
前記離間距離算出手段によって算出された離間距離が、前記受信手段によって受信された送信情報に含まれる基準値以上か否かを判定する判定手段とを備え、
前記判定手段によって、前記離間距離が前記基準値以上であると判定された場合には、前記送信情報に含まれた設定のうち、基準値以上であった場合の設定を前記携帯端末に設定し、前記判定手段によって、前記離間距離が前記基準値以内であると判定された場合には、前記送信情報に含まれた設定のうち、基準値以内であった場合の設定を前記携帯端末に設定すること
を特徴とする端末設定変更システム。
【請求項２】
前記第１の位置情報取得手段は、位置情報が取得できなかった場合に、前記情報処理装置と通信可能な基地局の位置情報を取得し、第１の位置情報とすることを特徴とする請求項１に記載の端末設定変更システム。
【請求項３】
前記第２の位置情報取得手段は、位置情報が取得できなかった場合に、前記情報処理装置と通信可能な基地局の位置情報を取得し、第２の位置情報とすることを特徴とする請求項１または２記載の端末設定変更システム。
【請求項４】
前記情報処理装置は、
前記情報処理装置が存在する住所の入力を受け付ける住所入力受付手段を更に備え、
前記第１の位置情報取得手段は、前記住所入力受付手段によって受け付けた住所付近の地図を表示し、ユーザからの指示に従って指定された地点の位置情報を第１の位置情報とすることを特徴とする請求項１乃至３に記載の情報処理装置。
【請求項５】
前記情報処理装置は、前記携帯端末と同様な携帯端末であることを特徴とする請求項１乃至４に記載の情報処理装置。
【請求項６】
情報処理装置の現在地を示す第１の位置情報を取得する第１の位置情報取得手段と、ユーザからの操作によって、前記第１の位置情報取得手段によって取得した第１の位置情報との距離に応じて、携帯端末の設定変更を行う基準値を決定する基準値決定手段と、前記基準値決定手段によって決定された基準値以内であった場合の設定と、前記基準値決定手段によって決定された基準値以上であった場合の設定を受け付ける設定変更受付手段と、前記第１の位置情報取得手段によって取得された第１の位置情報と、前記基準値決定手段によって決定された基準値と、前記設定変更受付手段によって受け付けた設定とを含めた送信情報を、前記携帯端末に送信する送信手段とを備えた情報処理装置と通信可能に接続された携帯端末であって、
前記送信手段によって送信された前記送信情報を受信する受信手段と、
前記携帯端末の現在地を示す第２の位置情報を取得する第２の位置情報取得手段と、
前記受信手段によって受信された前記送信情報に含まれる第１の位置情報と、前記第２の位置情報取得手段によって取得された第２の位置情報から、前記情報処理装置と前記携帯端末との離間距離を算出する離間距離算出手段と、
前記離間距離算出手段によって算出された離間距離が、前記受信手段によって受信された送信情報に含まれる基準値以上か否かを判定する判定手段とを備え、
前記判定手段によって、前記離間距離が前記基準値以上であると判定された場合には、前記送信情報に含まれた設定のうち、基準値以上であった場合の設定を前記携帯端末に設定し、前記判定手段によって、前記離間距離が前記基準値以内であると判定された場合には、前記送信情報に含まれた設定のうち、基準値以内であった場合の設定を前記携帯端末に設定すること
を特徴とする携帯端末。
【請求項７】
情報処理装置と携帯端末が通信可能に接続された端末設定変更システムの制御方法であって、
前記情報処理装置は、
前記情報処理装置の現在地を示す第１の位置情報を取得する第１の位置情報取得ステップと、
ユーザからの操作によって、前記第１の位置情報取得ステップによって取得した第１の位置情報との距離に応じて、前記携帯端末の設定変更を行う基準値を決定する基準値決定ステップと、
前記基準値決定ステップによって決定された基準値以内であった場合の設定と、前記基準値決定ステップによって決定された基準値以上であった場合の設定を受け付ける設定変更受付ステップと、
前記第１の位置情報取得ステップによって取得された第１の位置情報と、前記基準値決定ステップによって決定された基準値と、前記設定変更受付ステップによって受け付けた設定とを含めた送信情報を、前記携帯端末に送信する送信ステップとを実行し、
前記携帯端末は、
前記送信ステップによって送信された前記送信情報を受信する受信ステップと、
前記携帯端末の現在地を示す第２の位置情報を取得する第２の位置情報取得ステップと、
前記受信ステップによって受信された前記送信情報に含まれる第１の位置情報と、前記第２の位置情報取得ステップによって取得された第２の位置情報から、前記情報処理装置と前記携帯端末との離間距離を算出する離間距離算出ステップと、
前記離間距離算出ステップによって算出された離間距離が、前記受信ステップによって受信された送信情報に含まれる基準値以上か否かを判定する判定ステップとを実行し、
前記判定ステップによって、前記離間距離が前記基準値以上であると判定された場合には、前記送信情報に含まれた設定のうち、基準値以上であった場合の設定を前記携帯端末に設定し、前記判定ステップによって、前記離間距離が前記基準値以内であると判定された場合には、前記送信情報に含まれた設定のうち、基準値以内であった場合の設定を前記携帯端末に設定すること
を特徴とする端末設定変更システムの制御方法。
【請求項８】
情報処理装置の現在地を示す第１の位置情報を取得する第１の位置情報取得手段と、ユーザからの操作によって、前記第１の位置情報取得手段によって取得した第１の位置情報との距離に応じて、携帯端末の設定変更を行う基準値を決定する基準値決定手段と、前記基準値決定手段によって決定された基準値以内であった場合の設定と、前記基準値決定手段によって決定された基準値以上であった場合の設定を受け付ける設定変更受付手段と、前記第１の位置情報取得手段によって取得された第１の位置情報と、前記基準値決定手段によって決定された基準値と、前記設定変更受付手段によって受け付けた設定とを含めた送信情報を、前記携帯端末に送信する送信手段とを備えた情報処理装置と通信可能に接続された携帯端末の制御方法であって、
前記送信手段によって送信された前記送信情報を受信する受信ステップと、
前記携帯端末の現在地を示す第２の位置情報を取得する第２の位置情報取得ステップと、
前記受信ステップによって受信された前記送信情報に含まれる第１の位置情報と、前記第２の位置情報取得ステップによって取得された第２の位置情報から、前記情報処理装置と前記携帯端末との離間距離を算出する離間距離算出ステップと、
前記離間距離算出ステップによって算出された離間距離が、前記受信ステップによって受信された送信情報に含まれる基準値以上か否かを判定する判定ステップとを備え、
前記判定ステップによって、前記離間距離が前記基準値以上であると判定された場合には、前記送信情報に含まれた設定のうち、基準値以上であった場合の設定を前記携帯端末に設定し、前記判定ステップによって、前記離間距離が前記基準値以内であると判定された場合には、前記送信情報に含まれた設定のうち、基準値以内であった場合の設定を前記携帯端末に設定すること
を特徴とする携帯端末。
【請求項９】
情報処理装置と携帯端末が通信可能に接続された端末設定変更システムの制御方法をコンピュータに実行させるためのコンピュータに読み取り実行可能なプログラムであって、
前記情報処理装置を、
前記情報処理装置の現在地を示す第１の位置情報を取得する第１の位置情報取得手段と、
ユーザからの操作によって、前記第１の位置情報取得手段によって取得した第１の位置情報との距離に応じて、前記携帯端末の設定変更を行う基準値を決定する基準値決定手段と、
前記基準値決定手段によって決定された基準値以内であった場合の設定と、前記基準値決定手段によって決定された基準値以上であった場合の設定を受け付ける設定変更受付手段と、
前記第１の位置情報取得手段によって取得された第１の位置情報と、前記基準値決定手段によって決定された基準値と、前記設定変更受付手段によって受け付けた設定とを含めた送信情報を、前記携帯端末に送信する送信手段として機能させ、
前記携帯端末を、
前記送信手段によって送信された前記送信情報を受信する受信手段と、
前記携帯端末の現在地を示す第２の位置情報を取得する第２の位置情報取得手段と、
前記受信手段によって受信された前記送信情報に含まれる第１の位置情報と、前記第２の位置情報取得手段によって取得された第２の位置情報から、前記情報処理装置と前記携帯端末との離間距離を算出する離間距離算出手段と、
前記離間距離算出手段によって算出された離間距離が、前記受信手段によって受信された送信情報に含まれる基準値以上か否かを判定する判定手段として機能させ、
前記判定手段によって、前記離間距離が前記基準値以上であると判定された場合には、前記送信情報に含まれた設定のうち、基準値以上であった場合の設定を前記携帯端末に設定し、前記判定手段によって、前記離間距離が前記基準値以内であると判定された場合には、前記送信情報に含まれた設定のうち、基準値以内であった場合の設定を前記携帯端末に設定すること
を特徴とするコンピュータに読み取り実行可能なプログラム。
【請求項１０】
情報処理装置の現在地を示す第１の位置情報を取得する第１の位置情報取得手段と、ユーザからの操作によって、前記第１の位置情報取得手段によって取得した第１の位置情報との距離に応じて、携帯端末の設定変更を行う基準値を決定する基準値決定手段と、前記基準値決定手段によって決定された基準値以内であった場合の設定と、前記基準値決定手段によって決定された基準値以上であった場合の設定を受け付ける設定変更受付手段と、前記第１の位置情報取得手段によって取得された第１の位置情報と、前記基準値決定手段によって決定された基準値と、前記設定変更受付手段によって受け付けた設定とを含めた送信情報を、前記携帯端末に送信する送信手段とを備えた情報処理装置と通信可能に接続された携帯端末の制御方法をコンピュータに実行させるためのコンピュータに読み取り実行可能なプログラムであって、
前記送信手段によって送信された前記送信情報を受信する受信手段と、
前記携帯端末の現在地を示す第２の位置情報を取得する第２の位置情報取得手段と、
前記受信手段によって受信された前記送信情報に含まれる第１の位置情報と、前記第２の位置情報取得手段によって取得された第２の位置情報から、前記情報処理装置と前記携帯端末との離間距離を算出する離間距離算出手段と、
前記離間距離算出手段によって算出された離間距離が、前記受信手段によって受信された送信情報に含まれる基準値以上か否かを判定する判定手段として機能させ、
前記判定手段によって、前記離間距離が前記基準値以上であると判定された場合には、前記送信情報に含まれた設定のうち、基準値以上であった場合の設定を前記携帯端末に設定し、前記判定手段によって、前記離間距離が前記基準値以内であると判定された場合には、前記送信情報に含まれた設定のうち、基準値以内であった場合の設定を前記携帯端末に設定すること
を特徴とするコンピュータに読み取り実行可能なプログラム。
【請求項１１】
請求項９に記載のプログラムを格納することを特徴とするコンピュータで読み取り可能な記録媒体。
【請求項１２】
請求項１０に記載のプログラムを格納することを特徴とするコンピュータで読み取り可能な記録媒体。
【発明の詳細な説明】
【技術分野】
【０００１】
本発明は、情報処理装置と携帯端末が通信可能に接続されたシステムにおいて、情報処理装置と携帯端末の位置に応じて、柔軟に設定変更をすることの可能な端末設定変更システム、携帯端末、端末設定変更システムの制御方法、携帯端末の制御方法、プログラム、及びプログラムを記録した記録媒体に関する。
【背景技術】
【０００２】
従来、携帯電話のような携帯端末を紛失する事故が多発している。特に、携帯電話のような携帯端末は、多くの個人情報が記憶されており、プライバシー保護の観点からも紛失した携帯端末を確実に発見することが重要である。
【０００３】
携帯端末を紛失してしまった場合には、別の携帯端末から紛失した携帯端末に電話をかけ、着信音を鳴動させて、発見する方法がある。その１つとして、下記の特許文献１には、紛失した携帯端末がユーザの居る場所に近い場合、マナーモードを解除して着信報知することにより、発見を容易にする携帯端末を提供するシステムが開示されている。
【先行技術文献】
【特許文献】
【０００４】
【特許文献１】特開２００５−５７７１１号公報
【発明の概要】
【発明が解決しようとする課題】
【０００５】
しかしながら、特許文献１に記載の仕組みにおいては、紛失した携帯端末がユーザの居る場所に近い場合、マナーモードを解除して着信報知することにより、発見を容易にすることは可能であるが、マナーモードを解除するかどうかユーザが選択できないため、ユーザの現在位置の近くにあるがマナーモードを解除されてしまうと困る場所(職場等)にある場合には対応できない。
【０００６】
また、事前に紛失した携帯端末にアラーム等を設定していた場合は、アラーム解除できずに鳴動し続け周囲の迷惑になってしまう可能性がある。
【０００７】
本発明は上記の課題を解決するためになされたものであり、メール送信用端末より特殊メールヘッダー付のメールを送信し、紛失した状況に合わせて遠隔操作で鳴動方法及びアラームの設定変更を行うことを目的とする。
【課題を解決するための手段】
【０００８】
上記の目的を達成するために、請求項１に記載の端末設定変更システムは、情報処理装置と携帯端末が通信可能に接続された端末設定変更システムであって、前記情報処理装置は、前記情報処理装置の現在地を示す第１の位置情報を取得する第１の位置情報取得手段と、ユーザからの操作によって、前記第１の位置情報取得手段によって取得した第１の位置情報との距離に応じて、前記携帯端末の設定変更を行う基準値を決定する基準値決定手段と、前記基準値決定手段によって決定された基準値以内であった場合の設定と、前記基準値決定手段によって決定された基準値以上であった場合の設定を受け付ける設定変更受付手段と、前記第１の位置情報取得手段によって取得された第１の位置情報と、前記基準値決定手段によって決定された基準値と、前記設定変更受付手段によって受け付けた設定とを含めた送信情報を、前記携帯端末に送信する送信手段とを備え、前記携帯端末は、前記送信手段によって送信された前記送信情報を受信する受信手段と、前記携帯端末の現在地を示す第２の位置情報を取得する第２の位置情報取得手段と、前記受信手段によって受信された前記送信情報に含まれる第１の位置情報と、前記第２の位置情報取得手段によって取得された第２の位置情報から、前記情報処理装置と前記携帯端末との離間距離を算出する離間距離算出手段と、前記離間距離算出手段によって算出された離間距離が、前記受信手段によって受信された送信情報に含まれる基準値以上か否かを判定する判定手段とを備え、前記判定手段によって、前記離間距離が前記基準値以上であると判定された場合には、前記送信情報に含まれた設定のうち、基準値以上であった場合の設定を前記携帯端末に設定し、前記判定手段によって、前記離間距離が前記基準値以内であると判定された場合には、前記送信情報に含まれた設定のうち、基準値以内であった場合の設定を前記携帯端末に設定することを特徴とする。
【発明の効果】
【０００９】
情報処理装置と携帯端末の離間距離を元に設定変更ができるため、携帯端末の位置に応じて柔軟な設定をすることが可能になり、紛失した携帯端末の発見を助ける効果を奏する。
【図面の簡単な説明】
【００１０】
【図１】本発明の実施形態における端末設定変更システムの一例を示す構成図である。
【図２】メール送信用端末、メールサーバ、位置情報サーバ、及び基地局のハードウェア構成の一例を示す構成図である。
【図３】メール送信用携帯端末、及び紛失携帯端末のハードウェア構成の一例を示す構成図である。
【図４】メール送信用端末、メール送信用携帯端末、及び紛失携帯端末のモジュール構成の一例を示す構成図である。
【図５】メール送信用携帯端末及び紛失携帯端末における処理の流れを示すフローチャートである。
【図６】メール送信用携帯端末における位置情報取得処理の一例を示すフローチャートである。
【図７】認証を行う際に表示される認証画面と、認証エラーが発生した際に表示される認証エラー画面の構成の一例を示す構成図である。
【図８】紛失携帯端末の設定を変更するための設定情報送信画面の構成の一例を示す構成図である。
【図９】現在地を指定する際に表示される位置情報設定画面の構成の一例を示す構成図である。
【図１０】メールヘッダーデータテーブルと認証テーブルのテーブル構成の一例を示す構成図である。
【発明を実施するための形態】
【００１１】
図１は、本発明の実施形態における端末設定変更システムの構成の一例を示す構成図である。
【００１２】
端末設定変更システムは、メール送信用端末１００、位置情報サーバ１０６、基地局１０７、及びメールサーバ１０３がインターネット（ＷＡＮ）１０４を介して接続され、メール送信用携帯端末１０１、紛失携帯端末１０２及び基地局１０７が携帯電話網１０５を介して接続される構成となっている。
【００１３】
メールサーバ１０３は、メール送信用端末１００やメール送信用携帯端末１０１から送信されたメールを受信し、宛先に記載されたメールアドレスへメールを伝達する。
【００１４】
位置情報サーバ１０６は、住所情報から周辺地図データを生成し、緯度経度のＧＰＳ情報を割り出す処理を行うサーバである。ＧＰＳとはGlobal Positioning Systemのことである。
【００１５】
メール送信用端末１００及びメール送信用携帯端末１０１は、測位または位置情報サーバ１０６より取得した位置情報と設定情報を設定情報送信画面より取得し、特殊メールヘッダーを作成し、メールを送付する処理を行う。
【００１６】
紛失携帯端末１０２は、メールサーバ１０３よりメールを受信し、特殊メールヘッダーがある場合、メールのデータより設定情報の取得処理を行う。測位により取得した位置情報を元に設定処理を行う。
【００１７】
基地局１０７は、メール送信用携帯端末１０１及び紛失携帯端末１０２と直接交信する携帯電話網１０５の末端にあたる装置であり、メール送信用携帯端末１０１及び紛失携帯端末１０２との間で携帯電話網１０５を介し無線通信を行う一方、携帯電話網１０５の末端となり、メール送信用携帯端末１０１及び紛失携帯端末１０２の間の通話や、メール送信用携帯端末１０１及び紛失携帯端末１０２、インターネット１０４の間の通信を携帯電話網１０５との間で中継する処理を行う。
【００１８】
図１のネットワーク上に接続される各種端末あるいはサーバの構成は一例であり、用途や目的に応じて様々な構成例があることは言うまでもない。よって、上述した構成からメール送信用端末１００のみを除いた構成、又は上述した構成からメール送信用端末１００及び基地局１０７のみを除いた構成であってもよい。
【００１９】
次に、メール送信用端末、メールサーバ、位置情報サーバ、及び基地局のハードウェア構成の一例について図２を用いて説明する。
【００２０】
ＣＰＵ２０１は、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／
Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２１】
ＲＡＭ２０３は、ＣＰＵ２０１の主メモリ、ワークエリア等として機能する。ＣＰＵ２０１は、処理の実行に際して必要なプログラム等をＲＡＭ２０３にロードして、プログラムを実行することで各種動作を実現するものである。
【００２２】
また、入力コントローラ（入力Ｃ）２０５は、キーボード２０９や不図示のマウス等のポインティングデバイスからの入力を制御する。ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。
【００２３】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュメモリ等の外部メモリ２１１へのアクセスを制御する。
【００２４】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２５】
本発明を実現するための各種プログラムは外部メモリ２１１に記録されており、必要に応じてＲＡＭ２０３にロードされることによりＣＰＵ２０１によって実行されるものである。さらに、本発明に係わる前記プログラムが用いる定義ファイル及び各種情報テーブルは外部メモリ２１１に格納されており、これらについての詳細な説明は後述する。
【００２６】
次に、メール送信用携帯端末、及び紛失携帯端末のハードウェア構成の一例について図３を用いて説明する。
【００２７】
図３は携帯端末のハードウェア構成の一例である。本発明に係る携帯端末の構成を示すブロック図であり、例えば、ＩＳ−９５(Interim Standard 95)ベースのＣＤＭＡ(Code Division
Multiple Access)方式携帯電話の移動端末装置に適用した場合を示している。但し、通信方式に関してはＣＤＭＡ方式に限定されるものではなく、ＰＤＣ(Personal Digital Cellular)やＰＨＳ(Personal
Handyphone System)、ヨーロッパで広く普及しているＧＳＭ方式など、いずれでもよい。
【００２８】
メール送信用端末１００及び紛失携帯端末１０２は、アンテナ３０１（外部アンテナ３０１ａ及びＧＰＳアンテナ３０１ｂを含む）、ＧＰＳ受信部３０２、送受信部３１４、変復調部（即ち、ベースバンド処理部などを含む）３０３、音声処理部３０４、マイク３０５、レシーバ３０６、制御部３１０、メイン表示部３０８、サブ表示部３０９、カメラ部３１３、カメラＩ／Ｆ３１２、ＬＥＤ部３１５、バイブレータ部３１６及び操作部３０７を具備する構成となっている。
【００２９】
制御部３１０は、メール送信用端末１００及び紛失携帯端末１０２の全体を制御するものであり、例えばマイクロプロセッサとＲＯＭ(Read Only Memory)３１１ａ及びＲＡＭ(Random Access
Memory)３１１ｂなどからなり、ＲＯＭ３１１ａに格納されている制御プログラムにしたがって各種の制御を行う。また、ＲＡＭ３１１ｂには、送信する情報や受信した情報及び電話帳データ（例えば、メモリダイヤル９９９件分のデータ）などが一時的にまたは消去／変更操作が行われるまで格納されるようになっている。
【００３０】
ＧＰＳ受信部３０２は、３個以上のＧＰＳ衛星（不図示）からの電波を受信し、メール送信用端末１００及び紛失携帯端末１０２の現在位置を計算する。
【００３１】
メイン表示部３０８はカラー液晶表示装置、ＤＭＤ（デジタル・ミラー・デバイス）や有機ＥＬ表示装置、ＰＤＰ（プラズマ・ディスプレイ・パネル）などから構成され、通知すべき情報、文字情報や現在時刻情報、画像情報などの各種詳細情報を表示する。
【００３２】
サブ表示部３０９は、カラー液晶表示装置、有機ＥＬ表示装置やＤＭＤ（デジタル・ミラー・デバイス）などの各種カラー表示装置で構成され、本体を閉じている場合に、待受時や着信時などの簡易情報を表示する。
【００３３】
ＬＥＤ部３１５は電圧を加えた時に発光する半導体素子から構成され、通知すべき情報に応じて半導体素子が点灯・点滅する。
【００３４】
バイブレータ部３１６はモーター及びモーターの軸に取り付ける重心を偏らせた重りから構成され、通知すべき情報に応じて振動を発生させる。
【００３５】
操作部３０７は、他のキーやボタンと組み合せて各種機能を設定するときに使用するフレキシブルキー、上下左右方向にカーソルを移動させ、表示内容をその方向に順番にスクロールさせ、また、音量の設定やメモリダイヤルの呼び出し、リダイヤルや漢字変換などに使用される接点キー、電子メール機能を使用するときに操作されるＥメールキー、選択されている項目を決定または確定するときに操作されるＯＫキー、電源のＯＮ／ＯＦＦ、通話の終了や着信時に応答保留する際に使用する終了／電源キー、電話番号や文字を入力する際に使用するテンキー、インターネット接続機能の表示画面に移行する際に使用するＷＥＢキー、電話をかけたり受けたりする際に使用する開始キー、メール送信用端末１００及び紛失携帯端末１０２が閉じた状態にあるか、完全に開いた状態にあるかまたは半開きの状態にあるかを機械的に検出するマイクロスイッチである開閉検出スイッチで構成される。
【００３６】
本実施形態における遠隔操作での設定変更システムは、上述した構成からサブ表示部３０９、カメラ部３１３及びカメラＩ／Ｆ３１２を除いた構成であってもよいし、これに限らない。
【００３７】
上記構成のメール送信用端末１００及び紛失携帯端末１０２において、受信電波はアンテナ３０１を経て送受信部３１４で受信され、変復調部３０３で復調される。この変復調部３０３で復調された音声情報は音声処理部３０４へ供給され、制御部３１０の制御のもとに、音声処理部３０４で所定の処理が行われた後、レシーバ３０６で電気−音響変換されて音声となって出力される。
【００３８】
また、変復調部３０３で復調された受信データは制御部３１０へ供給される。この受信データは制御データ、文字データ等（例えば、相手電話番号）及び画像データなどからなり、必要に応じてメイン表示部３０８やサブ表示部３０９に供給されて文字情報や画像情報として表示される場合や、ＬＥＤ部３１５に供給されて着信情報として点灯・点滅する場合や、バイブレータ部３１６に供給されて着信情報として振動する場合や、ＲＡＭ３１１ｂに格納される場合がある。この受信データの制御データには、音声通信の着信情報（呼び出し側の電話番号を含む）や、ＳＭＳベアラー（ショート・メッセージ・ベアラー）という方式によって送信されてくる電子メール及び文字メッセージの着信情報などのデータも含まれている。
【００３９】
入力情報は、制御部３１０を経由して必要に応じてＲＡＭ３１１ｂに格納されるとともに、送信データとして変復調部３０３に供給される。変復調部３０３は、供給される音声信号や送信データを変調した後、送受信部３１４を経てアンテナ３０１から送信される。
【００４０】
カメラ部３１３は、カメラＩ／Ｆ３１２を介して制御部３１０に接続されている。
【００４１】
次に、図４を用いて、本発明の情報処理装置としてのメール送信用端末１００、メール送信用携帯端末１０１、及び紛失携帯端末１０２の機能ブロック図について説明する。
【００４２】
認証処理部４０１は、操作部３０７またはキーボード２０９より、ユーザの操作によって入力されたユーザ名、パスワードをユーザ情報として取得する。ユーザ情報に従って、認証テーブル１０２０（図１０参照）を検索し、取得したユーザ情報に含まれるユーザ名が存在するか否かを判定しパスワードの認証を行い、認証がなされたと判定された場合に、設定情報送信画面８００（図８参照）に推移させる。
【００４３】
位置情報取得部４０２は、ＧＰＳ受信部３０２よりメール送信用端末１００又はメール送信用携帯端末１０１の位置情報を取得する。位置情報の取得が何らかの理由によりできない場合、位置情報取得部４０２は、送受信部３１４より基地局情報を取得し、メール送信用端末１００又はメール送信用携帯端末１０１の位置情報とする。ＧＰＳ受信部３０２及び送受信部３１４を用いてメール送信用端末１００又はメール送信用携帯端末１０１の位置情報の取得が何らかの理由によりできない場合、位置情報取得部４０２は、設定情報送信画面８００上に「ＧＰＳで取得」ボタンを表示させる。位置情報取得部４０２は、操作部３０７またはキーボード２０９より、ユーザの操作によって住所欄８０１に入力された住所情報を取得する。位置情報取得部４０２は、通信Ｉ／Ｆコントローラ２０８または送受信部３１４を介して、位置情報サーバ１０６へ取得した住所情報を送信する。位置情報取得部４０２は、送受信部３１４または通信Ｉ／Ｆコントローラ２０８を介して位置情報サーバ１０６から位置情報画面データを取得し、位置情報設定画面９００（図９参照）に遷移させる。位置情報取得部４０２は、位置情報設定画面９００からメール送信用端末１００又はメール送信用携帯端末１０１の位置情報を取得する。
【００４４】
画面情報取得部４０３は、操作部３０７またはキーボード２０９より、ユーザの操作によって入力された離間距離基準値と離間距離に応じた設定を取得する。
【００４５】
メールヘッダー作成部４０４は、位置情報取得部４０２から取得したメール送信用端末１００又はメール送信用携帯端末１０１の位置情報及び画面情報取得部４０３から取得した設定によりメールヘッダーデータテーブル１０００（図１０参照）を生成する。
【００４６】
メール送信部４０５は、メールヘッダー作成部４０４よりデータを取得する。メール送信部４０５は、通信Ｉ／Ｆコントローラ２０８または送受信部３１４を介して、メールサーバ１０３へ取得した特殊メールヘッダーを送信する。
【００４７】
メール受信部４０６は、送受信部３１４を介して、メールサーバ１０３から特殊メールヘッダーを取得する。
【００４８】
メールヘッダー解析部４０７はメール受信部４０６よりデータを取得する。解析の結果、メールヘッダーがメール送信用端末１００又はメール送信用携帯端末１０１の位置情報、離間距離基準値、紛失携帯端末１０２に設定する設定を含む特殊メールヘッダーである場合、設定更新制御部４１５は紛失携帯端末１０２の現在位置情報取得命令を現在位置記憶部４１２に対して行う。
【００４９】
現在位置記憶部４１２は、ＧＰＳ受信部３０２より紛失携帯端末１０２の位置情報を取得する。位置情報の取得が何らかの理由によりできない場合、現在位置記憶部４１２は、送受信部３１４より基地局情報を取得し、紛失携帯端末１０２の位置情報とする。
【００５０】
設定更新制御部４１５は、メール送信用端末１００又はメール送信用携帯端末１０１から受信した設定情報（１）と現在位置記憶部４１２から得られた紛失携帯端末１０２の位置情報から離間距離値を取得する。設定更新制御部４１５は、離間距離値と離間距離基準値を比較する。設定更新制御部４１５は、その結果に従って設定更新制御部４１５に対して、設定更新命令を行う。
【００５１】
設定記憶部４１０は、設定更新制御部４１５の設定更新命令に従って設定更新処理を行う。
【００５２】
設定制御部４１１は、設定記憶部４１０から設定情報を取得する。設定制御部４１１は、設定情報に従ってバイブレータ部４０８に対して振動命令を行う。設定制御部４１１は、設定情報に従ってＬＥＤ部４１７に対して点灯命令、点滅命令、消灯命令を行う。設定制御部４１１は、設定情報に従ってスピーカ部４０９に対して鳴動命令を行う。設定制御部４１１は、設定情報に従って操作パネル部４１４に対して描画命令を行う。
【００５３】
バイブレータ部４０８は設定制御部４１１の描画命令に従い、制御部３１０を介してバイブレータ部３１６に対して振動処理を行う。
【００５４】
操作パネル部４１４は設定制御部４１１の描画命令に従い、表示部４１３に対して描画命令を行う。
【００５５】
表示部４１３は操作パネル部４１４の描画命令に従って、制御部３１０を介してメイン表示部３０８及びサブ表示部３０９に対して画像の描画処理を行う。
【００５６】
ＬＥＤ部４１７は設定制御部４１１の点灯、点滅及び消灯命令に従い、制御部３１０を介してＬＥＤ部３１５に対して点灯、点滅及び消灯処理を行う。
【００５７】
スピーカ部４０９は設定制御部４１１の鳴動命令に従い、制御部３１０と変復調部３０３、音声処理部３０４を介してレシーバ３０６に対して鳴動処理を行う。鳴動する処理において、変復調部３０３及び音声処理部３０４を介する必要がなくても鳴動可能である場合、変復調部３０３及び音声処理部３０４を介さなくてもよい。
【００５８】
次に、メール送信用携帯端末及び紛失携帯端末における処理について、図５に示すフローチャートを用いて説明する。
【００５９】
尚、Ｓ１０１乃至Ｓ１１１の各ステップは、メール送信用携帯端末１０１における制御部３１０の制御の下、処理が行われ、Ｓ１１２乃至Ｓ１２０の各ステップは、紛失携帯端末１０２における制御部３１０の制御の下、処理が行われる。また、本実施例では、メール送信用携帯端末１０１を例に説明するが、メール送信用携帯端末１０１はメール送信用端末１００でもよい。
【００６０】
まず、認証画面７００（図７参照）での処理について説明する。本処理は、メール送信用携帯端末１０１に備えられた設定情報送信プログラム（不図示）を起動すると、認証画面７００が表示される。
【００６１】
ステップＳ１０１では、メール送信用携帯端末１０１は、認証画面７００を表示し、ユーザからの操作により入力されたＩＤ７０１、パスワード７０２を取得する。
【００６２】
ステップＳ１０２では、メール送信用携帯端末１０１は、ステップＳ１０１において取得したＩＤ７０１に従って、認証テーブル１０２０（図１０参照）を検索し、取得したＩＤ７０１と一致する会員ＩＤ１０２２が存在するか否かを判定し、更に一致した会員ＩＤ１０２２のパスワード１０２３と取得したパスワード７０２が一致するか否かの判定を行う。認証処理においてＩＤ７０１が会員ＩＤ１０２２に存在しない場合、及びパスワード１０２３の認証に失敗した場合、認証エラー画面７１０（図７参照）を表示する。認証エラー画面７１０にて「戻る」ボタン７１１を押下すると、ステップＳ１０１へ処理を戻す。認証処理においてＩＤ７０１が会員ＩＤ１０２２に存在し、パスワード１０２３の認証に成功した場合は、ステップＳ１０３へ処理を進める。
【００６３】
認証テーブル１０２０は、会員のユニークな番号を示す会員番号１０２１、認証の際に使用する会員ＩＤ１０２２、認証の際に使用するパスワード１０２３、設定変更を行う携帯端末のメールアドレスを示す送信先メールアドレス１０２４から構成される。
【００６４】
ステップＳ１０３では、メール送信用携帯端末１０１は、ステップＳ１０２において認証が行われたレコードの送信先メールアドレス１０２４を取得し、ＲＡＭ３１１ｂに記憶する。
【００６５】
ステップＳ１０４では、メール送信用携帯端末１０１は、設定情報送信画面８００（図８参照）を表示し、各種入力を受け付ける。
【００６６】
ステップＳ１０５では、メール送信用携帯端末１０１は、メール送信用携帯端末１０１の現在地を取得する処理を行う。位置情報取得処理の詳細は後述する図６に示す。
【００６７】
ステップＳ１０６では、メール送信用携帯端末１０１は、位置欄８０４に取得した位置情報を表示し、住所欄８０１は編集不可能状態にする。
【００６８】
ステップＳ１０７では、メール送信用携帯端末１０１は、ユーザからの操作により、設定情報送信画面８００に備えられた送信ボタン８０７が押下されたか否かを判定する。送信ボタン８０７が押下されたと判定した場合には、ステップＳ１０８へ処理を進め、送信ボタン８０７が押下されたと判定できなかった場合には、送信ボタンが押下されるまで待機する。
【００６９】
ステップＳ１０８では、メール送信用携帯端末１０１は、設定情報送信画面８００に入力された各種設定情報を取得し、メールヘッダーデータテーブル１０００に格納する。入力された設定情報は、判定基準値８０３に入力された値より大きい場合の設定８０５と、判定基準値８０３に入力された値以下の設定８０６が存在する。判定基準値８０３より大きい場合とは、メール送信用携帯端末１０１と紛失携帯端末１０２との距離が判定基準値８０３より離れている場合の設定であり、判定基準値８０３以下の場合とは、メール送信用携帯端末１０１と紛失携帯端末１０２との距離が判定基準値８０３以内の場合の設定である。これらの設定を行うことで、離間距離に応じた柔軟な設定が可能となる。
【００７０】
メールヘッダーデータテーブル１０００は、ユニークな番号が割り振られる取扱番号１００１、送信先の会員ＩＤを示す送信先ＩＤ１００２、送信先の携帯端末のメールアドレスを示す送信先メールアドレス１００３、メール送信用携帯端末１０１の位置情報を示す位置情報１００４、設定情報を変更する閾値として使用する特定基準値１００５から構成される。また、判定基準値８０３に入力された値より大きい場合の設定８０５が１００６乃至１０１１に格納され、判定基準値８０３に入力された値以下の設定８０６が１０１２乃至１０１７に格納される。
【００７１】
ステップＳ１０９では、メール送信用携帯端末１０１は、ステップＳ１０８において、設定情報送信画面８００に入力された各種設定情報を取得できたか否かを判定する。取得できたと判定した場合には、ステップＳ１１０へ処理を進め、取得できたと判定できなかった場合には、取得ができなかった旨のエラー画面（不図示）を表示し、ステップＳ１０４へ処理を戻して、設定情報送信画面８００への入力を促す。
【００７２】
ステップＳ１１０では、メール送信用携帯端末１０１は、ステップＳ１０８において取得した設定情報を元に、特殊メールヘッダーを生成する。具体的には、ステップＳ１０８において取得した設定情報を元にメールヘッダーデータテーブル１０００を生成する。特殊メールヘッダーはメールヘッダーデータテーブル１０００に対応して生成し、メール送信用携帯端末１０１の設定が変更可能な命令を付与する。この命令をメール送信用携帯端末１０１が受信することで、設定の変更がなされる。
【００７３】
ステップＳ１１１では、メール送信用携帯端末１０１は、ステップＳ１１０において生成された特殊メールヘッダーを含むメールを、メールヘッダーデータテーブル１０００の送信先メールアドレス１００３に格納された送信先に送信する。
【００７４】
ステップＳ１１２では、紛失携帯端末１０２は、ステップＳ１１１において送信されたメールを受信する。
【００７５】
ステップＳ１１３では、紛失携帯端末１０２は、ステップＳ１１２において受信したメールに、ステップＳ１１０において生成した特殊メールヘッダーが含まれているか否かの判定を行う。特殊メールヘッダーが含まれていると判定した場合には、ステップＳ１１４へ処理を進め、特殊メールヘッダーが含まれていると判定できなかった場合には、通常のメール受信として処理され、本一連の処理を終了する。通常メール受信後の動きについては各メールアプリケーションの動きに依存する。
【００７６】
ステップＳ１１４では、紛失携帯端末１０２は、紛失携帯端末１０２の位置情報をＧＰＳ受信部３０２より取得する。
【００７７】
ステップＳ１１５では、紛失携帯端末１０２は、ステップＳ１１４において位置情報が取得できたか否かを判定する。位置情報が取得できたと判定した場合には、ステップＳ１１７へ処理を進め、位置情報が取得できたと判定できなかった場合には、ステップＳ１１６へ処理を進める。
【００７８】
ステップＳ１１６では、紛失携帯端末１０２は、送受信部３１４より基地局１０７の位置情報を取得し、紛失した携帯端末の位置情報とする。これは、紛失携帯端末１０２の位置情報がＧＰＳにより取得できないので、基地局１０７の位置情報を代わりに使用するものである。
【００７９】
ステップＳ１１７では、紛失携帯端末１０２は、ステップＳ１１４又はステップＳ１１６において取得した位置情報と、ステップＳ１１２において受信した特殊メールヘッダーから取得したメール送信用携帯端末１０１の位置情報より、メール送信用携帯端末１０１と紛失携帯端末１０２の離間距離を算出する。つまり、メール送信用携帯端末１０１と紛失携帯端末１０２がどのくらい離れているのかを算出する。
【００８０】
ステップＳ１１８では、紛失携帯端末１０２は、ステップＳ１１７において算出した離間距離が、ステップＳ１１２において受信したメールに含まれる特殊メールヘッダーから取得した特定基準値１００５（離間距離基準値）以上か否かを判定する。離間距離が離間距離基準値以上であると判定した場合には、ステップＳ１１８へ処理を進め、離間距離が離間距離基準値以上であると判定できなかった場合には、ステップＳ１１９へ処理を進める。
【００８１】
ステップＳ１１９では、紛失携帯端末１０２は、メールヘッダーデータテーブル１０００の１００６乃至１０１１の設定を紛失携帯端末１０２に設定し、本一連の処理を終了する。
【００８２】
ステップＳ１２０では、紛失携帯端末１０２は、メールヘッダーデータテーブル１０００の１０１２乃至１０１７の設定を紛失携帯端末１０２に設定し、本一連の処理を終了する。
【００８３】
このように、メール送信用携帯端末１０１と紛失携帯端末１０２との距離に応じて、紛失携帯端末１０２の設定を変更することができる。
【００８４】
次に、位置情報取得処理について、図６に示すフローチャートを用いて説明する。
【００８５】
尚、Ｓ２０１乃至Ｓ２１０の各ステップは、メール送信用携帯端末１０１における制御部３１０の制御の下、処理が行われる。また、本実施例では、メール送信用携帯端末１０１を例に説明するが、メール送信用携帯端末１０１はメール送信用端末１００でもよい。
【００８６】
ステップＳ２０１では、メール送信用携帯端末１０１の位置情報がＧＰＳ受信部３０２より取得可能か否かを判定する。位置情報が取得可能であると判定した場合には、ステップＳ２０２へ処理を進め、位置情報が取得可能であると判定できない場合には、ステップＳ２０３へ処理を進める。
【００８７】
ステップＳ２０２では、ＧＰＳ受信部３０２よりメール送信用携帯端末１０１の位置情報を取得し、位置情報取得処理を終了する。
【００８８】
ステップＳ２０３では、位置情報の取得が何らかの理由によりできない場合、送受信部３１４より基地局１０７の位置情報を取得し、メール送信用携帯端末１０１の位置情報とする。
【００８９】
ステップＳ２０４では、ステップＳ２０３において基地局の位置情報が取得できたか否かを判定する。位置情報が取得できたと判定した場合には、位置情報取得処理を終了し、位置情報が取得できたと判定できない場合には、ステップＳ２０５へ処理を進める。
【００９０】
ステップＳ２０５では、設定情報送信画面８００にＧＰＳで取得ボタン８０２を表示させ、住所欄８０１は何も表示せず編集可能状態にする。
【００９１】
ステップＳ２０６では、ＧＰＳで取得ボタン８０２が押下されたか否かを判定する。押下されたと判定した場合には、ステップＳ２０７へ処理を進め、押下されたと判定できなかった場合には、押下がなされるまで待機する。
【００９２】
ステップＳ２０７では、設定情報送信画面８００の住所欄８０１に入力された情報を取得して、位置情報サーバ１０６に送信する。位置情報サーバ１０６は、受信した住所の周辺地図である周辺地図情報をメール送信用携帯端末１０１に送信し、メール送信用携帯端末１０１は、周辺地図情報を取得する。
【００９３】
ステップＳ２０８では、位置情報設定画面９００を表示させ、周辺地図情報表示領域９０１に周辺地図情報を表示する。周辺地図情報表示領域９０１の中心に地図情報矢印９０２を表示させる。地図情報矢印９０２をユーザが移動させることにより、メール送信用携帯端末１０１の位置情報を決定できる。
【００９４】
ステップＳ２０９では、位置情報設定画面９００に備えられたＯＫボタン９０３が押下されたか否かを判定する。押下されたと判定した場合には、ステップＳ２１０へ処理を進め、押下されたと判定できなかった場合には、押下がなされるまで待機する。
【００９５】
ステップＳ２１０では、位置情報設定画面９００の地図情報矢印９０２が指し示す位置をメール送信用端末１００の位置情報として取得し、位置情報取得処理を終了する。
【００９６】
以上説明したように、本実施形態によれば、メール送信用端末やメール送信用携帯端末と、紛失携帯端末の離間距離に応じて、紛失携帯端末の設定を変更することができるので、紛失携帯端末の柔軟な設定変更が可能となる効果を奏する。
【００９７】
以上、実施形態例を詳述したが、本発明は、方法、プログラムもしくは記録媒体等としての実施態様をとることが可能である。
【００９８】
また、本発明におけるプログラムは、各処理方法をコンピュータが実行可能（読み取り可能）なプログラムであり、本発明の記録媒体は、各処理方法をコンピュータが実行可能なプログラムが記憶されている。
【００９９】
なお、本発明におけるプログラムは、各装置の処理方法ごとのプログラムであってもよい。
【０１００】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０１０１】
この場合、記録媒体から読み出されたプログラム自体が本発明の新規な機能を実現することになり、そのプログラムを記憶した記録媒体は本発明を構成することになる。
【０１０２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１０３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０５】
また、本発明は、複数の機器から構成されるシステムに適用しても、１つの機器からなる装置に適用してもよい。
【０１０６】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０７】
さらに、本発明を達成するためのプログラムをネットワーク上のサーバ，データベース等から通信プログラムによりダウンロードして読み出すことによって、そのシステムあるいは装置が、本発明の効果を享受することが可能となる。
【０１０８】
なお、上述した各実施形態およびその変形例を組み合わせた構成も全て本発明に含まれるものである。
【符号の説明】
【０１０９】
１００  メール送信用端末
１０１  メール送信用携帯端末
１０２  紛失携帯端末
１０３  メールサーバ
１０４  インターネット（ＷＡＮ）１０４
１０５  携帯電話網１０５
１０６  位置情報サーバ１０６
１０７  基地局１０７
【図１】
2012060553.tif 000003
【図２】
2012060553.tif 000004
【図３】
2012060553.tif 000005
【図４】
2012060553.tif 000006
【図５】
2012060553.tif 000007
【図６】
2012060553.tif 000008
【図７】
2012060553.tif 000009
【図８】
2012060553.tif 000010
【図９】
2012060553.tif 000011
【図１０】
2012060553.tif 000012